(57)【特許請求の範囲】
【請求項１】
少なくとも一方が透光性を有する一対の基板と、
前記一対の基板間に形成された電界に応じて移動するように前記一対の基板間に封入された色及び帯電極性が異なる複数種類の粒子群と、
前記一対の基板間の少なくとも一方側に設けられ、正又は負の電荷を保持する平面状の電荷保持層と、
を備えた画像表示媒体。
【請求項２】
前記電荷保持層は、前記複数種類の粒子群のうち予め定めた第１の粒子群が前記一対の基板の一方の基板から他方の基板への移動を終了する移動終了電圧の絶対値が、前記第１の粒子群と異なる第２の粒子群が前記他方の基板から前記一方の基板への移動を開始する移動開始電圧の絶対値よりも小さくなるように、かつ、前記第１の粒子群が前記他方の基板から前記一方の基板への移動を終了する移動終了電圧の絶対値が、前記第２の粒子群が前記一方の基板から前記他方の基板への移動を開始する移動開始電圧の絶対値よりも小さくなるように、予め定めた極性の電荷を保持する機能層であることを特徴とする請求項１記載の画像表示媒体。
【請求項３】
前記電荷保持層が前記一対の基板の両方に設けられ、かつ同一極性の電荷を保持していることを特徴とする請求項１記載の画像表示媒体。
【請求項４】
前記一対の基板間は気体又は液体であることを特徴とする請求項１〜請求項３の何れか１項に記載の画像表示媒体。
【請求項５】
前記一対の基板間は液体であり、当該液体が前記複数種類の粒子群の色と異なる色であることを特徴とする請求項４記載の画像表示媒体。
【請求項６】
前記複数種類の粒子群のうち少なくとも２種類の粒子群が補色関係にあることを特徴とする請求項１〜請求項５の何れか１項に記載の画像表示媒体。
【請求項７】
前記一対の基板間に、前記複数種類の粒子群が通過可能な複数の孔を有し且つ前記複数種類の粒子群の色と異なる多孔質部材を備えたことを特徴とする請求項１〜請求項６の何れか１項に記載の画像表示媒体。
【請求項８】
前記多孔質部材は、前記複数種類の粒子群よりも粒径が大きい大径粒子群から成ることを特徴とする請求項７記載の画像表示媒体。
【請求項９】
前記一対の基板間に電圧を印加するための一対の電極を備えたことを特徴とする請求項１〜請求項８の何れか１項に記載の画像表示媒体。
【請求項１０】
前記複数種類の粒子群の前記移動開始電圧及び前記移動終了電圧に関する閾値電圧特性情報を記憶する記憶手段と、
入力された画像データに応じた印加電圧を前記記憶手段に記憶された閾値電圧特性情報に基づいて設定し、前記請求項１〜請求項９の何れか１項に記載の画像表示媒体の前記一対の基板間に電圧を印加する電圧印加手段と、
を備えた画像表示媒体の駆動装置。
【請求項１１】
前記請求項１〜請求項９の何れか１項に記載の画像表示媒体と、
前記複数種類の粒子群の前記移動開始電圧及び前記移動終了電圧に関する閾値電圧特性情報を記憶する記憶手段と、
入力された画像データに応じた印加電圧を前記記憶手段に記憶された閾値電圧特性情報に基づいて設定し、前記請求項１〜請求項９の何れか１項に記載の画像表示媒体の前記一対の基板間に電圧を印加する電圧印加手段と、
を備えた画像表示装置。
【発明の詳細な説明】
【技術分野】
【０００１】
本発明は、画像表示媒体、画像表示媒体の駆動装置、及び画像表示装置に関する。
【背景技術】
【０００２】
従来から、繰り返し書き換えが可能なメモリー性を有する画像表示媒体として、電気泳動を用いた画像表示媒体、着色粒子を用いた画像表示媒体、メモリー性を有する液晶を用いた画像表示媒体などが提案されている。
【０００３】
特許文献１には、移動度の異なる３種類の着色粒子を用いた電気泳動型の画像表示媒体が記載されている。
【０００４】
特許文献２には、移動度及び粒径が異なる３種類の電気泳動粒子を用いた電気泳動型の画像表示媒体が記載されている。
【０００５】
特許文献３には、１種類の着色粒子の帯電極性と逆極性に荷電された荷電膜を配置することによりメモリー性を改善する電気泳動型の画像表示媒体が記載されている。
【特許文献１】特開２００６−５８９０１号公報
【特許文献２】特開２００６−３４３４５７号公報
【特許文献３】特開２０００−２５８８０５号公報
【発明の開示】
【発明が解決しようとする課題】
【０００６】
本発明は、混色を抑えて表示することができる画像表示媒体、画像表示媒体の駆動装置、及び画像表示装置を提供することを目的とする。
【課題を解決するための手段】
【０００７】
上記目的を達成するために、請求項１記載の発明の画像表示媒体は、少なくとも一方が透光性を有する一対の基板と、前記一対の基板間に形成された電界に応じて移動するように前記一対の基板間に封入された色及び帯電極性が異なる複数種類の粒子群と、前記一対の基板間の少なくとも一方側に設けられ、正又は負の電荷を保持する平面状の電荷保持層と、を備えたことを特徴とする。
【０００８】
請求項２記載の発明は、前記電荷保持層は、前記複数種類の粒子群のうち予め定めた第１の粒子群が前記一対の基板の一方の基板から他方の基板への移動を終了する移動終了電圧の絶対値が、前記第１の粒子群と異なる第２の粒子群が前記他方の基板から前記一方の基板への移動を開始する移動開始電圧の絶対値よりも小さくなるように、かつ、前記第１の粒子群が前記他方の基板から前記一方の基板への移動を終了する移動終了電圧の絶対値が、前記第２の粒子群が前記一方の基板から前記他方の基板への移動を開始する移動開始電圧の絶対値よりも小さくなるように、予め定めた極性の電荷を保持する機能層であることを特徴とする。
【０００９】
請求項３記載の発明は、前記電荷保持層が前記一対の基板の両方に設けられ、かつ同一極性の電荷を保持していることを特徴とする。
【００１０】
請求項４記載の発明は、前記一対の基板間は気体又は液体であることを特徴とする。
【００１１】
請求項５記載の発明は、前記一対の基板間は液体であり、当該液体が前記複数種類の粒子群の色と異なる色であることを特徴とする。
【００１２】
請求項６記載の発明は、前記複数種類の粒子群のうち少なくとも２種類の粒子群が補色関係にあることを特徴とする。
【００１３】
請求項７記載の発明は、前記一対の基板間に、前記複数種類の粒子群が通過可能な複数の孔を有し且つ前記複数種類の粒子群の色と異なる多孔質部材を備えたことを特徴とする。
【００１４】
請求項８記載の発明は、前記多孔質部材は、前記複数種類の粒子群よりも粒径が大きい大径粒子群から成ることを特徴とする。
【００１５】
請求項９記載の発明は、前記一対の基板間に電圧を印加するための一対の電極を備えたことを特徴とする。
【００１６】
請求項１０記載の発明の画像表示媒体の駆動装置は、前記複数種類の粒子群の前記移動開始電圧及び前記移動終了電圧に関する閾値電圧特性情報を記憶する記憶手段と、入力された画像データに応じた印加電圧を前記記憶手段に記憶された閾値電圧特性情報に基づいて設定し、前記請求項１〜請求項９の何れか１項に記載の画像表示媒体の前記一対の基板間に電圧を印加する電圧印加手段と、を備えたことを特徴とする。
【００１７】
請求項１１記載の発明の画像表示装置は、前記請求項１〜請求項９の何れか１項に記載の画像表示媒体と、前記複数種類の粒子群の前記移動開始電圧及び前記移動終了電圧に関する閾値電圧特性情報を記憶する記憶手段と、入力された画像データに応じた印加電圧を前記記憶手段に記憶された閾値電圧特性情報に基づいて設定し、前記請求項１〜請求項９の何れか１項に記載の画像表示媒体の前記一対の基板間に電圧を印加する電圧印加手段と、を備えたことを特徴とする。
【発明の効果】
【００１８】
請求項１、１０、１１記載の発明によれば、混色を抑えて表示することができる、という効果を有する。
【００１９】
請求項２記載の発明によれば、より混色を抑えて表示することができる、という効果を有する。
【００２０】
請求項３記載の発明によれば、複数の粒子の移動開始電圧及び移動終了電圧をシフトすることができる、という効果を有する。
【００２１】
請求項４記載の発明によれば、コントラストの高い画像を表示できる、という効果を有する。
【００２２】
請求項５記載の発明によれば、より多くの色を表示することができる、という効果を有する。
【００２３】
請求項６記載の発明によれば、より多くの色を表示することができる、という効果を有する。
【００２４】
請求項７記載の発明によれば、より多くの色を表示することができる、という効果を有する。
【００２５】
請求項８記載の発明によれば、簡単に多孔質部材を構成することができる、という効果を有する。
【００２６】
請求項９記載の発明によれば、画像表示媒体を駆動する駆動装置を簡単な構成にすることができる、という効果を有する。
【発明を実施するための最良の形態】
【００２７】
以下、図面を参照して本発明の実施形態について詳細に説明する。
【００２８】
（第１実施形態）
図１には、本実施形態に係る画像表示装置１０の概略構成を示した。画像表示装置１０は、画像表示媒体１２及び駆動装置１３により構成されている。
【００２９】
画像表示媒体１２は、透明な基板１４、表示側電極１６、及び表示側電荷保持層１８が積層された表示基板２０と、基板２２、背面側電極２４、及び背面側電荷保持層２６が積層された背面基板２８と、基板間に封入された正に帯電された第１の粒子３０及び負に帯電された第２の粒子３２から成る複数種類の粒子群と、基板間に設けられた間隙部材３４と、で構成されている。
【００３０】
なお、本実施形態では、第１の粒子３０の色がシアンであり、第２の粒子３２の色がマゼンダであるものとして説明するが、色の組み合わせはこれに限られるものではない。また、各粒子の帯電極性が逆であってもよい。また、各粒子は、例えば絶縁性粒子や導電性粒子等を用いることができる。
【００３１】
また、表示側電荷保持層１８及び背面側電荷保持層２６は、何れも負の電荷を保持している。電荷保持層としては、例えばエレクトレット層やイオン性ポリマー層等を用いることができる。
【００３２】
また、各電極は、例えばＩＴＯ（Ｉｎｄｉｕｍ  Ｔｉｎ  Ｏｘｉｄｅ）電極で構成される。さらに、本実施形態では表示基板２０及び背面基板２８に各電極が設けられているが、表示基板２０及び背面基板２８の外側に別個独立にそれぞれ配置されていてもよい。また、電極を画像表示媒体と別個独立に設ける場合には、各基板を誘電性を有する部材で構成することにより、基板間に電界を形成させることができる。
【００３３】
なお、画像表示媒体１０を構成する各部材は、例えば特開２００１−３１２２２５号公報に記載されたものを用いることができる。
【００３４】
また、基板間の空間３５は、本実施形態では、一例として気体である場合について説明するが、透光性を有する液体、例えば透明な液体としてもよい。
【００３５】
駆動装置１３は、第１の粒子３０及び第２の粒子３２の各粒子が一方の基板側から他方の基板側へ移動開始する移動開始電圧、各粒子が一方の基板側から他方の基板側へ移動が終了する移動終了電圧等を含む閾値電圧特性情報を記憶するメモリ３６と、入力された画像データに応じて印加すべき電圧を前記閾値電圧特性情報に基づいて設定して表示側電極１６及び背面側電極２４間に印加する電圧印加部３８と、を含んで構成されている。なお、印加する電圧は、背面側電極２４に対して表示側電極１６に印加する電圧をいうものとする。
【００３６】
図２（Ａ）には、第１の粒子３０の閾値電圧特性４０及び第２の粒子３２の閾値電圧特性４２を示した。また、表示側電荷保持層１８及び背面側電荷保持層２６に代えて電荷を保持しない単なる表面層が各基板側に設けられた従来構成の場合の第１の粒子３０の閾値電圧特性４４及び第２の粒子３２の閾値電圧特性４６を示した。なお、図２（Ａ）に示すように、従来構成における閾値電圧特性４４、４６に関して、粒子が表示基板２０側から背面基板２８側へ及び背面基板２８側から表示基板２０側へ移動開始する移動開始電圧及び移動が終了する移動終了電圧は、極性が異なるだけで略同様の特性となっている。
【００３７】
図２（Ａ）に示すように、例えば正側の閾値電圧特性について見てみると、本実施形態に係る画像表示媒体１２のように負に荷電された表示側電荷保持層１８を備えた構成の場合、正に帯電した第１の粒子３０が表示基板２０側から背面基板２８側へ移動を開始する移動開始電圧は、表示側電荷保持層１８を備えていない場合の移動開始電圧＋Ｖｃｓ１から＋Ｖｃｓ２にシフトし、移動終了電圧は＋Ｖｃｅ１から＋Ｖｃｅ２にシフトする。すなわち印加電圧が高くなる方向へシフトする。これは、第１の粒子３０は正に帯電し、表示側電荷保持層１８は負に荷電されているため両者に静電吸引力が作用しており、表示側電荷保持層１８が無い場合と比較してより大きな印加電圧を印加しなければ第１の粒子３０を表示基板２０側から背面基板２８側へ移動開始させることができないからである。
【００３８】
同様に、負に荷電された電荷保持層を備えた構成の場合、負に帯電した第２の粒子３２が背面基板２８側から表示基板２０側へ移動を開始する移動開始電圧は、背面側電荷保持層２６を備えていない場合の移動開始電圧＋Ｖｍｓ１から＋Ｖｍｓ２にシフトし、移動終了電圧は＋Ｖｍｅ１から＋Ｖｍｅ２にシフトする。すなわち印加電圧が低くなる方向へシフトする。これは、第２の粒子３２は負に帯電し、背面側電荷保持層２６は負に荷電されているため両者に静電斥力が作用しており、背面側電荷保持層２６が無い場合と比較してより小さな印加電圧を印加するだけで第２の粒子３２を背面基板２８側から表示基板２０側へ移動開始させることができるからである。
【００３９】
また、第２の粒子３２の移動終了電圧＋Ｖｍｅ２は、第１の粒子３０の移動開始電圧＋Ｖｃｓ２よりも小さくなっている。すなわち、表示側電荷保持層１８及び背面側電荷保持層２６は、第２の粒子３２の移動開始電圧Ｖ＋ｍｓ２から移動終了電圧＋Ｖｍｅ２までの閾値電圧特性４２と、第１の粒子３０の移動開始電圧Ｖ＋ｃｓ２から移動終了電圧＋Ｖｃｅ２までの閾値電圧特性４０とが重ならないように閾値電圧特性４０、４２をシフトする機能層である。
【００４０】
なお、負側の印加電圧の特性についても同様である。すなわち、表示側電荷保持層１８及び背面側電荷保持層２６が設けられることにより、正に帯電された第１の粒子３０については印加電圧の絶対値が大きくなる方向に閾値電圧特性がシフトし、負に帯電された第２の粒子３２については印加電圧の絶対値が小さくなる方向に閾値電圧特性がシフトする。
【００４１】
なお、図２（Ｂ）に示すように、仮に閾値電圧特性４０と閾値電圧特性４２とが重なる重複範囲５０ができると、その範囲の電圧が印加された場合に混色が発生し、第１の粒子３０と第２の粒子３２との混合色を適正に表示することができない。
【００４２】
次に、電圧印加部３８の電圧印加シーケンスについて説明する。
【００４３】
電圧印加部３８は、メモリ３６に記憶された閾値電圧特性情報に基づき、画像データに応じた印加電圧を設定して表示側電極１６と背面側電極２４との間に印加する。
【００４４】
まず、第１の粒子３０の色、すなわちシアンを表示させる第１の電圧印加シーケンスについて説明する。電圧印加部３８は、第１の粒子３０の色を表示させる場合、図３に示すように、例えば第１の粒子３０の移動終了電圧−Ｖｃｅ２よりも小さい電圧−Ｖ１を電極間に印加する。これにより、背面基板２８側の第１の粒子３０が表示基板２０側へ移動し、表示基板２０側の第２の粒子３２は背面基板２８側へ移動し、第１の粒子３０の色が表示される。
【００４５】
次に、第２の粒子３２の色、すなわちマゼンダを表示させる第２の電圧印加シーケンスについて説明する。電圧印加部３８は、第２の粒子３２の色を表示させる場合、図３に示すように、例えば第１の粒子３０の移動終了電圧＋Ｖｃｅ２よりも大きい電圧＋Ｖ１を電極間に印加する。これにより、背面基板２８側の第２の粒子３２が表示基板２０側へ移動し、表示基板２０側の第１の粒子３０は背面基板２８側へ移動し、第２の粒子３２の色が表示される。
【００４６】
次に、第１の粒子３０と第２の粒子３２の混合色、すなわちシアンとマゼンダの混合色である青を表示させる場合の第３の電圧印加シーケンスについて説明する。
【００４７】
電圧印加部３８は、第１の粒子３０と第２の粒子３２の混合色を表示させる場合、まず電圧−Ｖ１を電極間に印加して第１の粒子３０の色を表示させ、その後、第２の粒子３２の移動終了電圧＋Ｖｍｅ２以上で且つ第１の粒子３０の移動開始電圧＋Ｖｃｓ２未満の電圧＋Ｖ２を電極間に印加する。これにより、第２の粒子３２のみが表示基板２０側へ移動し、両粒子の混合色が表示される。
【００４８】
次に、第１の粒子３０と第２の粒子３２の混合色を階調表示させる場合の第４の電圧印加シーケンスについて説明する。電圧印加部３８は、上記の第３の電圧印加シーケンスにより混合色を表示させ、この状態から第１の粒子３０の移動開始電圧＋Ｖｃｓ２以上で且つ移動終了電圧＋Ｖｃｅ２未満の任意の電圧を印加する。これにより、印加電圧の大きさに応じた移動量で第１の粒子３０が背面基板２８側へ移動し、印加電圧の大きさに応じた階調の混合色が表示される。
【００４９】
次に、第１の粒子３０と第２の粒子３２の混合色を階調表示させる場合の第５の電圧印加シーケンスについて説明する。電圧印加部３８は、上記の第３の電圧印加シーケンスにより混合色を表示させ、この状態から第２の粒子３０の移動開始電圧−Ｖｍｓ２以下で且つ移動終了電圧−Ｖｍｅ２より大きい任意の電圧を印加する。これにより、印加電圧の大きさに応じた移動量で第２の粒子３２が背面基板２８側へ移動し、印加電圧の大きさに応じた階調の混合色が表示される。
【００５０】
（第２実施形態）
次に、本発明の第２実施形態について説明する。なお、第１実施形態と同一部分については同一符号を付し、その詳細な説明は省略する。
【００５１】
本実施形態では、基板間に粒子の色と異なる色の液体が封入された構成の画像表示媒体について説明する。
【００５２】
図４には、本実施形態に係る画像表示装置１０Ａの概略構成を示した。画像表示装置１０Ａは、画像表示媒体１２Ａを備えている。画像表示媒体１２Ａが図１の画像表示媒体１２と異なる点は、表示基板２０と背面基板２８との間に、第１の粒子３０及び第２の粒子３２の色と異なる色の液体５０が第１の粒子３０及び第２の粒子３２と共に封入されている点である。なお、本実施形態では、液体５０は白色であるものとし、第１の粒子３０の色が赤、第２の粒子３２の色が黒であるものとして説明するが、色の組み合わせはこれに限られるものではない。また、第１の粒子３０及び第２の粒子３２の閾値電圧特性は図２に示したのと同様の特性であるものとして説明する。
【００５３】
電圧印加部３８は、第１の粒子３０の色、すなわち赤を表示させる場合には、前述した第１の電圧印加シーケンスに従って電圧を印加すればよい。
【００５４】
また、電圧印加部３８は、第２の粒子の色、すなわち黒を表示させる場合には、前述した第２の電圧印加シーケンスに従って電圧を印加すればよい。
【００５５】
次に、液体５０の色、すなわち白を表示させる場合の第６の電圧印加シーケンスについて説明する。電圧印加部３８は、液体５０の色を表示させる場合、まず図３に示す電圧＋Ｖ１を電極間に印加して第１の粒子３０を背面基板２８側へ、第２の粒子３２を表示基板２０側へ移動させ、その後、電圧−Ｖ２を電極間に印加する。これにより、第２の粒子３２のみが背面基板２８側へ移動し、両粒子が背面基板２８側に全て配置されるため液体５０の色が表示される。
【００５６】
（第３実施形態）
次に、本発明の第３実施形態について説明する。なお、上記各実施形態と同一部分については同一符号を付し、その詳細な説明は省略する。
【００５７】
本実施形態では、基板間に各粒子が通過可能な多孔質層を備えた構成の画像表示媒体について説明する。
【００５８】
図５には、本実施形態に係る画像表示装置１０Ｂの概略構成を示した。画像表示装置１０Ｂは、画像表示媒体１２Ｂを備えている。画像表示媒体１２Ｂが図４の画像表示媒体１２Ａと異なる点は、表示基板２０と背面基板２８との間に液体５０ではなく、第１の粒子３０及び第２の粒子３２の色と異なる色の多孔質部材５２が設けられた点である。なお、本実施形態では、多孔質部材５２の色が白色であるものとして説明するが、多孔質部材５２の色及び各粒子の色の組み合わせはこれに限られるものではない。
【００５９】
多孔質部材５２は、図５に示すように、第１の粒子３０及び第２の粒子３２の粒径よりも大きい粒径を有する複数の大径粒子５２Ａが表示基板２０と背面基板２８との対向方向と略直交する方向に添って配列されて接続された構成となっている。また、多孔質部材５２は、隣接する大径粒子５２Ａによって形成された間隙、すなわち孔により第１の粒子３０及び第２の粒子３２が通過可能な構成とされている。
【００６０】
なお、電圧印加部３８による電圧印加シーケンスについては上記第２実施形態と同様である。すなわち、電圧印加部３８は、第１の粒子３０の色、すなわち赤を表示させる場合には、前述した第１の電圧印加シーケンスに従って電圧を印加すればよく、第２の粒子の色、すなわち黒を表示させる場合には、前述した第２の電圧印加シーケンスに従って電圧を印加すればよい。
【００６１】
また、電圧印加部３８は、多孔質部材５２の色、すなわち白を表示させる場合には、前述した第６の電圧印加シーケンスに従って電圧を印加すればよい。この場合、各粒子は、多孔質部材５２の孔を通過して基板間を移動する。
【００６２】
なお、本実施形態では、多孔質部材５２が複数の大径粒子５２Ａにより構成された場合について説明したが、これに限らず、第１の粒子３０及び第２の粒子３２が通過可能な孔を多数備えた平板状の部材で構成してもよい。この場合、少なくとも表示基板２０側の色を第１の粒子３０及び第２の粒子３２の色と異なる色にすればよい。
【００６３】
なお、上記各実施形態において、第１の粒子３０及び第２の粒子３２が透光性を有し、かつ、それらの色が補色関係となるような色としてもよい。例えば、第１の粒子３０の色を緑、第２の粒子３２の色をマゼンダとしてもよい。これにより、電圧印加部３８が前述した第３の電圧印加シーケンスに従って電圧を印加することにより、緑とマゼンダの混合色である黒が表示される。同様に、第１の粒子３０の色をシアン、第２の粒子３２の色を赤としてもよく、第１の粒子３０の色をブルー、第２の粒子３２の色を黄としてもよい。
【００６４】
（第４実施形態）
次に、本発明の第４実施形態について説明する。なお、上記各実施形態と同一部分については同一符号を付し、その詳細な説明は省略する。
【００６５】
本実施形態では、第１の粒子３０及び第２の粒子３２の他に、基板間に移動可能に第１の粒子３０及び第２の粒子３２よりも大きな径を有する複数種類の大径粒子が封入された構成の画像表示媒体について説明する。
【００６６】
図６には、本実施形態に係る画像表示装置１０Ｃの概略構成を示した。画像表示装置１０Ｃは、画像表示媒体１２Ｃを備えている。画像表示媒体１２Ｃが図１の画像表示媒体１２と異なる点は、表示基板２０と背面基板２８との間に負に帯電された第１の大径粒子６０及び正に帯電された第２の大径粒子６２が封入されており、第１の粒子３０及び第２の粒子３２が透光性を有している点である。なお、本実施形態では、第１の大径粒子６０の色が黄であり、第２の大径粒子の色が白である場合について説明する。
【００６７】
図７には、第１の大径粒子６０の閾値電圧特性７０、第２の大径粒子６２の閾値電圧特性７２を示した。
【００６８】
この場合、電圧印加部３８は、第２の大径粒子６２の移動終了電圧＋Ｖｗｅより大きい電圧＋Ｖ３を印加すると、負に帯電された第２の粒子３２及び第２の大径粒子６２が表示基板２０側に移動し、マゼンダが表示される。この場合、白の第２の大径粒子６２は反射層として機能する。
【００６９】
また、電圧印加部３８は、マゼンダが表示された状態から電圧−Ｖ２を印加すると、負に帯電された第２の粒子３２が背面基板２８側に移動し、白が表示される。
【００７０】
また、電圧印加部３８は、マゼンダが表示された状態から電圧−Ｖ１を印加すると、負に帯電された第２の粒子３２が背面基板２８側に移動すると共に正に帯電された第１の粒子３０が表示基板２０側へ移動し、シアンが表示される。
【００７１】
また、電圧印加部３８は、白が表示された状態から電圧−Ｖ１を印加し、その後電圧＋Ｖ２を印加すると、最終的に第１の粒子３０及び第２の粒子３２が表示基板２０側に移動し、シアンとマゼンダの混合色である青が表示される。
【００７２】
また、電圧印加部３８は、第１の大径粒子６０の移動終了電圧−Ｖｙｅより小さい電圧−Ｖ３を印加すると、正に帯電された第１の粒子３０及び第１の大径粒子６０が表示基板２０側に移動し、シアンと黄の混合色である緑が表示される。
【００７３】
また、電圧印加部３８は、緑が表示された状態から電圧＋Ｖ２を印加すると、負に帯電された第２の粒子３２が背面基板２８側に移動し、緑とマゼンダの混合色である黒が表示される。
【００７４】
また、電圧印加部３８は、緑が表示された状態から電圧＋Ｖ１を印加すると、正に帯電された第１の粒子３０が背面基板２８側に移動すると共に負に帯電された第２の粒子３２が表示基板２０側に移動し、黄とマゼンダの混合色である赤が表示される。
【００７５】
また、電圧印加部３８は、緑が表示された状態から電圧＋Ｖ１を印加し、その後電圧−Ｖ２を印加すると、最終的に第１の粒子３０及び第２の粒子３２が背面基板２８側に移動し、黄が表示される。
【００７６】
なお、第１実施形態と同様に、第１の粒子３０のみ又は第２の粒子３２のみを移動させることにより階調表示させるようにしてもよい。また、第１の大径粒子６０と第２の大径粒子６２の階調表示（黄色の階調表示）については、第１の大径粒子６０と第２の大径粒子６２が移動する＋Ｖｗｓ（＋Ｖｙｓ）から＋Ｖｗｅ（＋Ｖｙｅ）の範囲、および−Ｖｗｓ（−Ｖｙｓ）から−Ｖｗｅ（−Ｖｙｅ）の範囲で印加電圧を制御することによって行うことができる。
【００７７】
また、上記各実施形態においては、電荷保持層を両方の表示基板２０及び背面基板２８の両方に設けた場合について説明したが、片方の基板のみに電荷保持層を設けて片方の粒子の閾値電圧特性をシフトさせることにより、図２（Ａ）に示すように両粒子の閾値電圧特性が重複しないようにしてもよい。
【００７８】
また、上記各実施形態においては、電荷保持層が負の電荷を保持している場合について説明したが、正の電荷を保持する構成としてもよい。この場合、閾値電圧特性がシフトする方向が図２（Ａ）の場合と逆方向となるが、粒子のメモリー性を維持できる範囲でかつ閾値電圧特性が重複しないようにすればよい。
【図面の簡単な説明】
【００７９】
【図１】第１実施形態に係る画像表示装置の概略構成図である。
【図２】閾値電圧特性を示す線図である。
【図３】閾値電圧特性を示す線図である。
【図４】第２実施形態に係る画像表示装置の概略構成図である。
【図５】第３実施形態に係る画像表示装置の概略構成図である。
【図６】第４実施形態に係る画像表示装置の概略構成図である。
【図７】閾値電圧特性を示す線図である。
【符号の説明】
【００８０】
１０、１０Ａ、１０Ｂ      １０Ｃ      画像表示装置
１２、１２Ａ、１２Ｂ、１２Ｃ      画像表示媒体
１３      駆動装置
１４      基板
１６      表示側電極
１８      表示側電荷保持層
２０      表示基板
２２      基板
２４      背面側電極
２６      背面側電荷保持層
２８      背面基板
３０      第１の粒子
３２      第２の粒子
３４      間隙部材
３５      空間
３６      メモリ（記憶手段）
３８      電圧印加部（電圧印加手段）
４０、４２、４４、４６      閾値電圧特性
５０      液体
５０      重複範囲
５２      多孔質部材
５２Ａ      大径粒子
６０      第１の大径粒子
６２      第２の大径粒子
７０、７２      閾値電圧特性
【図１】
0004631903.tif 000002
【図２】
0004631903.tif 000003
【図３】
0004631903.tif 000004
【図４】
0004631903.tif 000005
【図５】
0004631903.tif 000006
【図６】
0004631903.tif 000007
【図７】
0004631903.tif 000008